(57)【要約】  現在利用されているシステムのＩＩＣ格付けを越え、ウォールボードの音響の伝達を低下させ、従来の溝形材例えば弾性のある溝形材と適合でき、比較的安価でしかも比較的設置の容易なシステムのための改善された挟み具。溝形材の第１の表面と枠部材との間に配置可能な第１の部分；溝形材の第２の反対の表面と接触して配置可能な第２の部分；該第１および第２の部分を接続するブラケットを含み、該第１の部分、第２の部分および該ブラケットは、該第１および第２の部分の中で異なる部分の相当する開口と合致している少なくとも１つの固締具の開口をそれぞれ有し、該開口および該取り付け箇所を通る固締具が該ブラケットおよび溝形材から音響的に隔離されており、少なくとも１つの取り付け箇所を有するウォールボード支持溝形材を枠部材から音響的に隔離するのに使用される。【選択図】図１
2010507034.tif 000002
【特許請求の範囲】
【請求項１】
溝形材の第１の表面と枠部材との間に配置可能な第１の部分；
溝形材の第２の反対の表面と接触して配置可能な第２の部分；
該第１および第２の部分を接続するブラケットを含み、
該第１の部分、第２の部分および該ブラケットは、それぞれ該第１および第２の部分のどちらか１つの部分の対応する開口と合致している少なくとも１つの固締具の開口を有して、該開口およびウォールボード支持溝形材の取り付け箇所を通る固締具が該ブラケットおよび溝形材から音響的に隔離されている特徴とする少なくとも１つの取り付け箇所を有するウォールボード支持溝形材を枠部材から音響的に隔離するのに使用される挟み具。
【請求項２】
該第１および第２の部分が、該ブラケットの外部に配置された第１の環状の形成物、および該ブラケットの内部に配置された第２の環状の形成物を含む請求項１の挟み具。
【請求項３】
該第１の環状の形成物が、該第２の環状の形成物の直径とは区別される直径を有する請求項２の挟み具。
【請求項４】
該第１の環状の形成物の該直径が、該第２の環状の形成物の該直径より小さい請求項３の挟み具。
【請求項５】
該ブラケットが金属でありそして該第１および第２の部分を受容する末端部分を有する請求項１の挟み具。
【請求項６】
該ブラケットが、該第１および第２の部分を滑動自在に受容するための開いたスロットを各末端で有する請求項５の挟み具。
【請求項７】
該ブラケットが、２つの脚部を有するほぼ「Ｕ」字形であり、そして該第１および第２の部分を滑動自在に受容するための開いたスロットを各脚部の末端で有する請求項１の挟み具。
【請求項８】
該第１および第２の部分のそれぞれが、該ブラケットの末端を受容する通路を画成する請求項１の挟み具。
【請求項９】
該通路が、第１の環状の形成物を第２の環状の形成物から分け、該第１の環状の形成物が該第２の環状の形成物より小さい直径を有する請求項８の挟み具。
【請求項１０】
少なくとも１つの取り付け端および少なくとも１つの取り付け箇所を有する少なくとも１つの細長い弾性のある溝形材；および
溝形材の第１の表面と枠部材との間に配置可能な第１の部分、溝形材の第２の反対の表面と接触して配置可能な第２の部分、該第１および第２の部分を接続するブラケット、および該第１および第２の部分および該取り付け箇所を通る頭部を有する固締具を含む、該溝形材へ取り付けられたウォールボードパネルをその下の枠部材から音響的に隔離するのに該溝形材と使用される挟み具を含み、
該第１および第２の部分および該ブラケットは、該第１および第２の部分のどちらか１つの部分の対応する開口と合致する少なくとも１つの固締具の開口を有して、該開口および該取り付け箇所を通る該固締具が該ブラケットおよび溝形材から音響的に隔離されていることを特徴とするウォールボードパネルをその下の枠部材から音響的に隔離するのに使用される防音アセンブリ。
【請求項１１】
該第１および第２の部分のそれぞれが、該ブラケットの外側に配置された第１の環状の形成物、および該ブラケットの内側に配置された第２の環状の形成物、および該形成物を分ける通路を含み、該第１の環状の形成物は該固締具の頭部を受容するために構築および配置されている請求項１０のアセンブリ。
【請求項１２】
該ブラケットが金属であり、そして該第１および第２の部分を受容する末端部分を有する請求項１０のアセンブリ。
【請求項１３】
該ブラケットが、２つの脚部を有するほぼ「Ｕ」字形であり、そして該第１および第２の部分を滑動自在に受容する開いたスロットを各脚部の末端に有する請求項１２のアセンブリ。
【請求項１４】
該第１および第２の部分のそれぞれが、該ブラケットの末端を受容する通路を画成する請求項１０のアセンブリ。
【請求項１５】
溝形材の第１の表面と枠部材との間に配置可能な第１の部分；
溝形材の第２の反対の表面と接触して配置可能な第２の部分；
該第１および第２の部分を接続するブラケットからなり、そして
該第１および第２の部分は、それぞれ該ブラケットの外側に配置された第１の環状の形成物および該ブラケットの内側に配置された第２の環状の形成物を含み；
該第１の環状の形成物は、該第２の環状の形成物の直径よりも小さい直径を有し、そして
該ブラケットは、２つの脚部でほぼ「Ｕ」字形であり、そして該第１および第２の部分を滑動自在に受容する開いたスロットを各脚部の末端に有することを特徴とする少なくとも１つの取り付け箇所を有するウォールボード支持溝形材を枠部材から音響的に隔離するのに使用される挟み具。
【発明の詳細な説明】
【技術分野】
【０００１】
本発明は、一般に、振動源から部材を音響的に隔離するのに使用される隔離固締具に関し、そしてより詳細には隣接する音源から音響を隔離するウォールボードパネルに使用される固締具に関する。
【背景技術】
【０００２】
住宅建設そして特に複数の家族の住宅建設における重要な問題は、上下左右に隣接する部屋および生活ユニットの間の防音である。現在、種々の弾性的な溝形材やそれとは別の種類の隔離挟み具が使用されてきており、それらはコストおよび有効性の程度が異なる。枠部材例えば壁支持体（間柱）または床の梁に取り付けられ次にウォールボードパネルを溝形材に確保してウォールボードをその下の支持体から隔離する弾性のある金属溝形材固締具が知られている。これは、支持体または梁を通る音響の伝達を妨げ、ウォールボードにより囲まれる空間は、外部の音を或る程度遮断する。このような溝形材を製造する１つの源は、ＲＣ−１  Ｒｅｓｉｌｉｅｎｔ  Ｃｈａｎｎｅｌとして販売されている溝形材を生産しているＣＥＭＣＯ，Ｃｉｔｙ  ｏｆ  ｉｎｄｕｓｔｒｙ，Ｃａｌｉｆｏｒｎｉａである。しかし、或る用途では、ＲＣ−１タイプの弾性溝形材の使用は、望ましいレベルの防音をもたらさない。
【０００３】
その下の支持体または梁からＲＣ−１溝形材を懸架するのに使用される挟み具が提供されていることも知られている。より詳細には、ＲＳＩＣ防音挟み具は、ＰＡＣ  Ｉｎｔｅｒｎａｔｉｏｎａｌ（ｗｗｗ．ｐａｃ−ｉｎｔｌ．ｃｏｍ）により製造されている。ＲＳＩＣ挟み具は、典型的な例では床の梁または垂直な壁の間柱である枠部材と係合するための複数の弾性のある隆起部と一体化した円筒状の弾性のあるパッドを設けた金属ブラケットを含む。パッドとは反対に、ブラケットは、パッドとウォールボードパネル（溝形材に確保された）との間の空間を画成するほぼ「Ｕ」字形または「帽子」状の溝形材の各脚部に接続されている。パッドは、枠部材とウォールボードとの間に防音性をもたらす。
【０００４】
これらの挟み具の１つの欠点は、それらの比較的高い値段であり、それぞれ数ドルに達する。さらに、上記のＲＳＩＣ挟み具システムは、枠部材へのウォールボードパネルの比較的剛い取り付けを含む。音響の伝達の一般的な原理の下で、このような剛い取り付けは、一般に、音響エネルギーのより能率的な伝達に相関することになる。従って、このような周知の挟み具システムは、得られる防音性の大きさを考えると比較的コスト高になる。
【０００５】
音響について格付けされる床は、典型的な例では、ＡＳＴＭ  Ｓｔａｎｄａｒｄ  Ｎｏ．Ｅ４９２により評価され、そしてＩｍｐａｃｔ  Ｉｎｓｕｌａｔｉｏｎ  Ｃｌａｓｓ（ＩＩＣ）として格付けされる。ＩＣＣの格付けが高ければ高いほど、衝撃音はより小さくなり、床の場合では、その下の域へ伝達される。床は、またＡＳＴＭ  Ｅ９０としてＳｏｕｎｄ  Ｔｒａｎｓｍｉｓｓｉｏｎ  Ｃｌａｓｓ（ＳＴＣ）として格付けできる。ＳＴＣの格付けが高ければ高いほど、空気により運ばれる音響は、その下の域へより小さく伝達される。このようなウォールボードシステムに望まれるＩＩＣ格付けは少なくとも５０であり、もっとも好ましくは約６０である。
【０００６】
従来の防音システムの他のファクターは、適切な設備に要求される指定された大きさである。従来の挟み具システムは比較的複雑であり、そして不適切に設置された場合、望ましいレベルの防音は達成されない。
【発明の概要】
【発明が解決しようとする課題】
【０００７】
従って、好ましくは現在利用されているシステムのＩＩＣ格付けを越える、ウォールボードの音響の伝達を低下させる改善されたシステムが要求されている。また、従来の溝形材例えば弾性のある溝形材と適合する改善されたシステムが要求されている。さらに、比較的安価でしかも比較的設置の容易なシステムのための改善された挟み具も要求されている。
【課題を解決するための手段】
【０００８】
上記の目的は、枠部材（床の梁、垂直な間柱または同様な枠部材）に関連するウォールボード溝形材を支持するための本発明の防音挟み具（Ｕ字形の挟み具が、２つの柔らかいゴム状のブシュまたは鳩目に接続する）により十分に満足される。各ブシュは、固締具を受容するための孔を有し、その固締具は孔を通り、さらに溝形材を枠部材に取り付けるための弾性のあるウォールボードパネル支持溝形材の取り付け端を通る。ウォールボードが枠部材から適切に連結を解除できることから、システムのＩＩＣ格付けは３ポイントから５ポイントの範囲で改善できる。また、好ましい態様はウォールボードシステムの防火特性を損なうことがない。
【０００９】
より詳細には、ウォールボード支持溝形材を枠部材から音響的に隔離するシステムは、挟み具、および少なくとも１つの取り付け箇所を有する支持溝形材を含む。挟み具は、溝形材の第１の表面と枠部材との間に配置可能な第１の部分；溝形材の第２の反対の表面と接触して配置可能な第２の部分；並びに該第１および第２の部分を接続するブラケットを含む。第１および第２の部分並びにブラケットは、それぞれ、少なくとも１つの固締具の開口を有し、固締具の開口は、開口および取り付け箇所を通る固締具がブラケットからそして溝形材から音響的に隔離されるように、第１および第２の部分のいずれか１つの部分の対応する開口と合致している。
【００１０】
他の態様では、ウォールボードパネルをその下の枠部材から音響的に隔離するのに使用される防音アセンブリには、少なくとも１つの取り付け端および少なくとも１つの取り付け箇所を有する少なくとも１つの細長い弾性のある溝形材が設けられそして含まれる。その下の枠部材から溝形材へ取り付けられる防音ウォールボードパネル中の溝形材と用いられる挟み具は、溝形材の第１の表面と枠部材との間に配置可能な第１の部分；溝形材の第２の反対の表面と接触して配置可能な第２の部分；並びに第１と第２の部分を接続するブラケットを含む。頭部を有する固締具は、第１および第２の部分並びに取り付け箇所を通る。第１および第２の部分およびブラケットは、それぞれ、少なくとも１つの固締具の開口を有し、固締具の開口は、開口および取り付け箇所を通る固締具がブラケットからそして溝形材から音響的に隔離されているように、第１および第２の部分の何れか１つの部分の対応する開口と合致している。
【００１１】
さらに別の態様では、挟み具は、ウォールボード支持溝形材を枠部材から音響的に隔離するのに使用されるために設けられ、支持溝形材は少なくとも１つの取り付け箇所を有する。挟み具は、溝形材の第１の表面と枠部材との間に配置可能な第１の部分；溝形材の第２の反対の表面と接触して配置可能な第２の部分；並びに第１と第２の部分を接続するブラケットを含む。第１および第２の部分のそれぞれは、ブラケットの外部に配置された第１の環状の形成物、およびブラケットの内部に配置された第２の環状の形成物を含み、第１の環状の形成物は、第２の環状の形成物の直径よりも小さい直径を有する。ブラケットは、２つの脚部を有するほぼ「Ｕ」字形であり、そして第１および第２の部分を滑動自在に受容するための各脚部の末端で開いたスロットを有する。
【図面の簡単な説明】
【００１２】
【図１】本発明の挟み具、その関係する弾性のある溝形材および枠部材に設置された取り付け固締具の態様の頂部斜視図である。
【図２】図１の挟み具の頂部正面図である。
【図３】図２の挟み具の部分拡大正面図である。
【図４】ウォールボードパネルを枠部材へ取り付けるために弾性のある溝形材と組み立てられた本発明の挟み具の正面図である。
【発明を実施するための形態】
【００１３】
図１において、ウォールボード支持溝形材を枠部材から音響的に隔離するのに使用される挟み具は、全体として１０と表示される。挟み具１０は、ＲＣ−１として知られているタイプの弾性のある溝形材１２の一部に取り付けられて示される。このような溝形材は、ＲＣ−１  Ｒｅｓｉｌｉｅｎｔ  ＣｈａｎｎｅｌとしてＣＥＭＣＯ，Ｃｉｔｙ  ｏｆ  Ｉｎｄｕｓｔｒｙ，Ｃａｌｉｆｏｒｎｉａから販売されている。ＲＣ−１タイプの弾性のある溝形材（以下、弾性のある溝形材とする）は好ましい態様でありそして本明細書で引用されるが、他の同様な溝形材も好適であることを理解すべきである。弾性のある溝形材１２は、ＡＳＴＭ  Ａ−９２４を満たすＧ４０コーティングによりＡＳＴＭ  Ｃ−６５３に適合する高温浸漬亜鉛メッキ鋼から製造され、そしてＦｅｄｅｒａｌ  Ｓｐｅｃｉｆｉｃａｔｉｏｎ  ＱＱ−Ｓ−７７５−ＤおよびＡＳＴＭ  Ｃ−６４５に適合する。弾性のある溝形材１２の製造は、鋼をロール形成して取り付け端またはフランジ１４（ここでは、ロールされた縁とともに示されている）、相対する自由な端１８およびウォールボードパネル２２へ取り付けけられる構造を有する内部の長い平らな中間平板部２０（図４）を有する形成物をつくることにより達成される。
【００１４】
取り付け端１４および平らな中間平板部２０により画成される平面は、傾斜したパネル２４，２６からはずれ、それらにより互いにほぼ平行していることがわかる。さらに、取り付け端１４には、好ましくは少なくとも１つの取り付け箇所２８が設けられ、それは好ましくは固締具３０を受容する大きさの予めドリルされた孔である。固締具３０のタイプに応じて、取り付け箇所２８が、固締具がどこにセルフタップするかにより、設置者によって決められることは理解されるだろう。
【００１５】
好ましい態様では、固締具３０はねじ山つきねじであるが、他のタイプのねじまたは他の固締具も、支持枠部材３２の構造に応じて使用できる。本明細書では、「枠部材」は、木材または金属の床の梁、コンクリートビームまたはスラブなど、および木材または金属から作られた垂直な間柱、または建築技術において周知のようにウォールボードパネルが典型的な例であってそれに取り付けられている他の枠部材をいう。弾性のある溝形材１２は、内部の片持ち梁で支えられた接続点（枠部材とウォールボードパネルとの間の音響の伝達を妨げる）を設けることにより、枠部材３２からウォールボードパネル２２を音響を部分的に隔離する。
【００１６】
図１から図４について、挟み具１０は、好ましくは、一組の弾性のあるポリマー性のゴム様の音響を減衰させるブシュまたは鳩目であり、ここでは第１および第２の部分３４、３６とよばれる。第１の部分３４は、溝形材１２の第１すなわち上方の表面３６と枠部材３２との間に配置できる。第２の部分３６は、溝形材１２の第２の下方または反対の表面４０と接触して配置できる。部分３４、３６は、ほぼ「Ｕ」字形のブラケット４２により溝形材１２のこの挟み込みに、ともに確保される。好ましい態様では、ブラケット４２は、成形される金属の片または帯から作られるが、プラスチックまたは他の自立材料も適当と思われる。
【００１７】
第１および第２の部分３４、３６が同じであり、そしてそのため１つのみが詳細に記述されることが好ましい。各部分３４、３６は、ほぼ輪状であり、そしてブラケット４２の外部の表面４６に配置された第１の環状の形成物４４、およびブラケットの内部の表面５０に配置された第２の環状の形成物を含む。第１の環状の形成物４４が第２の環状の形成物４８の直径と異なる直径そして好ましくはそれより小さい直径を有することも好ましい。部分３４、３６は、好ましくは、成形または同様な技術によって一体化されるが、しかし、組み立ても含まれる。種々のゴム様の材料が部分３４、３６に好適であると考えられ、弾性および音響の減衰および／または隔離をもたらす材料を含む。典型的に好ましい材料は、５０のＳｈｏｒｅ  Ａ  Ｄｕｒｏｍｅｔｅｒ値を有するスチレンブタジエンである。
【００１８】
少なくとも１つの固締具の開口５２は、形成物４４、４８の両者を同軸で通り、固締具３０を受容する。形成物４４，４８のそれぞれの固締具の開口５２は、互いに合致し、そしてブラケット４２の各脚部５８の対応する開口５６と合致している。開口５６が固締具の開口５２より大きくてブラケットと固締具３０との間の接触を避けることが好ましい。さらに、挟み具１０の組み立てを助けるために、開口５６が脚部５８の末端６０付近に開いてスロットを形成するのも好ましい。
【００１９】
同様に、部分３４、３６は、それぞれ、一体に形成された溝または通路６２（隠れている）を有し、それは、第１および第２の形成物を分けそして対応するブラケットの脚部５８の上に上記部分の滑動可能な係合のための路を画成する。通路６２は、好ましくは、上記部分の周辺に延在しているが、断片状の通路も適していると思われる。開口５６を閉じることができ、その場合、部分３４、３６は、対応する脚部５８の開口へ同軸で挿入されることも含む。
【００２０】
図４について、ブラケット４２の主な目的は、互いに操作できる関係で部分３４、３６を維持すること、そして第２すなわち内部の環状の形成物４８の間に取り付け端１４を挟むことである。直径の大きい形成物４８は、部分３４、３６の防音性を増大する。第１すなわち外側の形成物４４が、上方の脚部５８ａ上の枠部材３２に影響し、そのため溝形材１２の上方すなわち第１の表面３８と枠部材との間に配置されることが分かる。また、反対すなわち下方のブラケットの脚部５８ｂ上の外側の形成物４４は、固締具３０の頭部６４を受容する。その上、固締具３０は、それが固締具の開口５２および取り付け箇所２８を通過するとき、溝形材１２から音響的に隔離される。
【００２１】
従って、本発明の挟み具１０の設置は、従来の挟み具システム例えばＲＳＩＣ挟み具に比べて比較的簡単である。設置者は、挟み具１０を取り付け箇所２８に合致して取り付け端１４の上に単に置くだけである。次に、固締具３０を固締具の開口を通って挿入し、枠部材３２中に打ち込む。
【００２２】
一度挟み具１０が正しい位置に置かれると、ウォールボードパネル２２は、少なくとも１つのウォールボード固締具６６により溝形材１２の平らな中間平板部２０の上に設置される。当業者に周知のように、ウォールボードパネル２２は、好ましくは、石膏ウォールボードであるが、他の建設パネルも含まれ、木材パネルおよび石膏、ファイバー、ロックウール、ガラスファイバーおよび当業者に周知の他の建設グレードパネル材料の混合物を含むが、これらに限定されない。
【００２３】
本発明の挟み具１０の他の特徴は、部分３４、３６が固締具の開口５２の軸に沿って測られる十分な高さまたは厚さを有すること、ウォールボード設置に使用される殆どの従来の固締具例えば固締具６６の末端が、枠部材３２と接触しないことである。このような接触は、音波が固締具６６を直接通ってウォールボードパネルへ伝達される点で、防音システムの音響的な「短絡」により望ましくない。固締具６６の枠部材３２からの分離を維持することは、このような接触を避け、そして望ましい防音性を維持する。
【００２４】
防音性は、ウォールボードパネル２２が枠部材３２から音響的に分離されているために、増大する。また、溝形材１２の固有の弾性は、枠部材３２とウォールボードパネル２２との間の音響の伝達を減衰するのを助ける。フローリングのテストに本発明の挟み具１０を使用すると、ＩＩＣポイントをほぼ３改善したことが分かっている。その上、改善は、人の会話の範囲である約１０００Ｈｚ以上の周波数で最も著しい。
【００２５】
上記のように、このようなシステムの防火性能はデザインするのに考慮する必要がある。本発明の場合、火災の発生時には、部分３４、３６は融けてしまうが、固締具３０、溝形材および枠部材３２の間の物理的な接続は残り、システムの構造上の一体化は維持される。
【００２６】
ウォールボード支持溝形材を枠部材から隔離する本発明の防音挟み具の特定の態様が示され記述されたが、それについて変化および改変が、その広い範囲でそして請求の範囲に規定された本発明から離れることなく出来ることは、当業者により理解されるだろう。
【符号の説明】
【００２７】
１０    挟み具
１２    溝形材
１４    取り付け端
１６    縁
１８    自由な端
２０    中間平板部
２２    ウォールボードパネル
２４    傾斜したパネル
２６    傾斜したパネル
２８    取り付け箇所
３０    固締具
３２    枠部材
３４    部分
３６    部分
３８    第１の表面
４０    第２の表面
４２    ブラケット
４４    第１の環状形成物
４６    ４２の外部表面
４８    第２の環状形成物
５０    ４２の内部表面
５２    固締具の開口
５６    ５８の開口
５８    脚部
５８ａ  上方の脚部
５８ｂ  下方の脚部
６０    ５８の末端
６２    溝
６４    ３０の頭部
６６    固締具
【図１】
2010507034.tif 000003
【図２】
2010507034.tif 000004
【図３】
2010507034.tif 000005
【図４】
2010507034.tif 000006
【国際調査報告】
2010507034.tif 000007